(57)【特許請求の範囲】
【請求項１】
対物レンズと、前記対物レンズを保持するレンズホルダと、前記レンズホルダの側面に対向して配置されるマグネットと、前記マグネットが内側に取り付けられるヨークと、前記ヨークに取り付けられるカバーとを備えた光ピックアップにおいて、前記ヨークは、前記対物レンズの光軸方向における光ディスクに近い側を上とし、光ディスクから遠い側を下として、前記マグネットの下側において前記ヨークの外側から前記マグネットが目視できる開放部を有し、前記カバーは、前記マグネットの上側において前記カバーの外側から前記マグネットが目視できる開放部を有し、
前記開放部は、マグネットの位置を調整する治具が挿入される開放部であることを特徴とする光ピックアップ。
【請求項２】
前記開放部は、前記マグネットの中央部に対向する位置に設けられたことを特徴とする請求項１に記載の光ピックアップ。
【発明の詳細な説明】
【技術分野】
【０００１】
本発明は、光ディスクの記録面上に記録された情報を読み出し、または光ディスクに情報を記録する光ディスク装置が備える光ピックアップに関する。
【背景技術】
【０００２】
光ディスク装置の光ピックアップに備えられる一般的な対物レンズ駆動手段は、対物レンズを搭載した可動部と、この可動部を支持する支持部材と、フォーカシングコイルおよびトラッキングコイルと、ヨークおよびマグネットとから構成される。
【０００３】
フォーカシングコイルに駆動電流を印加すると、マグネットからの磁束との作用により生じる電磁力により、可動部が光ディスク面に接近または離遠する方向であるフォーカシング方向に駆動される。同様にトラッキングコイルに駆動電流を印加すると、マグネットからの磁束との作用により生じる電磁力により、可動部が光ディスクの半径方向であるトラッキング方向に駆動される。
【０００４】
ここで、可動部をフォーカシング方向あるいはトラッキング方向へ動作させた時に対物レンズの傾きが生じると、光学的な収差が発生し、光ディスクの情報の記録再生に悪影響を及ぼすおそれがある。したがって、可動部を動作させたときに傾きの小さい対物レンズ駆動手段が求められる。
【０００５】
このような光ピックアップの対物レンズ駆動手段の従来構造の例が、特許文献１に記載されている。特許文献１では、第一ヨークと磁石を組み付ける第二ヨークを有し、第一ヨークに対する第二ヨークの位置をトラッキング方向に調整できるように構成した例が示されている。これによれば、部品の寸法誤差や組立誤差による磁気回路中心と可動部中心とのずれがあった場合の可動部の傾きを抑えることが示されている。
【０００６】
【特許文献１】特開２００１−１８４６８３号公報（第５頁，図２）
【発明の開示】
【発明が解決しようとする課題】
【０００７】
上記特許文献１では、第二ヨークの位置を調整しているが、マグネットをヨークに対して位置調整することも解決策として考えられる。
【０００８】
本発明の目的は、マグネットをヨークに対して位置調整することができる光ピックアップを提供することにある。
【課題を解決するための手段】
【０００９】
上記目的を達成するために本発明は、次のように構成される。
【００１０】
対物レンズと、前記対物レンズを保持するレンズホルダと、前記レンズホルダの側面に対向して配置されるマグネットと、前記マグネットが内側に取り付けられるヨークとを備えた光ピックアップにおいて、前記ヨークは、前記対物レンズの光軸方向における光ディスクに近い側を上とし、光ディスクから遠い側を下として、前記マグネットの少なくとも下側において前記ヨークの外側から前記マグネットが目視できる開放部を有する光ピックアップとする。
【発明の効果】
【００１１】
本発明によれば、マグネットの上下に設けたヨークとカバーの開放部を通して、マグネットを挟む冶具を挿入し、マグネットに対する可動部の傾きに応じて、マグネットの位置を対物レンズの光軸方向に調整することが可能となる。したがって、可動部の動作時にコイルで発生するモーメントを低減し、対物レンズの傾きが小さい光ピックアップを提供することができ、光ディスクへの情報の記録再生を正確に行うことができる。
【発明を実施するための最良の形態】
【００１２】
（実施例１）
本発明に係わる光ピックアップの実施例を図面を用いて説明する。
【００１３】
初めに、光ピックアップ１１０を搭載した光ディスク装置１００を図８のブロック図を用いて説明する。光ディスク装置１００は、光ディスク１０１を回転させるスピンドルモータ１２０と、光ディスク１０１から情報を読み出し、または光ディスク１０１に情報を書き込む光ピックアップ１１０と、これらを制御するコントローラ１３０とを備えている。光ピックアップ１１０は、詳細を後述する対物レンズ駆動手段５０と、レーザ発光素子１１１等の光学部品を有する。
【００１４】
コントローラ１３０に接続されたディスク回転制御回路１３１は、コントローラ１３０からの指令を受けて、光ディスク１０１を搭載したスピンドルモータ１２０を回転駆動する。また、コントローラ１３０に接続された送り制御回路１３２は、コントローラ１３０からの指令を受けて、光ピックアップ１１０を光ディスク１０１の半径方向に移動させる。
【００１５】
光ピックアップ１１０に搭載されたレーザ発光素子１１１には、発光素子駆動回路133が接続されている。コントローラ１３０からの指令を受けて発光素子駆動回路１３３から駆動信号がレーザ発光素子１１１に与えられると、レーザ発光素子１１１はレーザ光を発光する。レーザ光は対物レンズ１により光ディスク１０１上に集光される。集光されたレーザ光は、光ディスク１０１で反射し、対物レンズ１を通過し、光検出器１１２に入射する。光検出器１１２で得られた検出信号１３４は、サーボ信号検出回路１３５および再生信号検出回路１３７に送られる。サーボ信号検出回路１３５に送られた検出信号１３４に基づいてサーボ信号が生成されて、アクチュエータ駆動回路１３６に入力される。
【００１６】
アクチュエータ駆動回路１３６は、光ピックアップの対物レンズ駆動手段５０に駆動信号を入力し、対物レンズ１を位置決め制御する。
【００１７】
一方、再生信号検出回路１３７に入力された検出信号１３４から再生信号が生成され、光ディスク１０１の情報が再生される。
【００１８】
この図８で示した光ピックアップ１１０が有する対物レンズ駆動手段５０の詳細を以下に説明する。
【００１９】
図１は本発明の光ピックアップ１１０の対物レンズ駆動手段５０の分解斜視図である。図中、ｚ方向が対物レンズ１を対物レンズ１の光軸に沿って光ディスク面に接近または離遠させるフォーカシング方向であり、ｙ方向が対物レンズ１を光ディスクの半径方向に動作させるトラッキング方向となる。ｙ方向とｚ方向の双方に直交する方向をｘ方向とする。なお、ｚ方向である対物レンズ１の光軸方向において、光ディスクに近い側を上とし、光ディスクから遠い側を下とする。
【００２０】
対物レンズ１はレンズホルダ２の上面に搭載される。フォーカシング方向およびトラッキング方向と平行なレンズホルダ２の両側面に、フォーカシング方向への駆動力を発生させる一対のフォーカシングコイル３と、トラッキング方向への駆動力を発生させるトラッキングコイル４が取り付けられる。
【００２１】
支持部材６は、それぞれ一端側がレンズホルダ２に固定され、他方が固定部７に固定される。対物レンズ１とレンズホルダ２とフォーカシングコイル３およびトラッキングコイル４を含む可動部は、支持部材６により固定部７に対して変位可能に支持される。フォーカシングコイル３およびトラッキングコイル４は、支持部材６の一端と半田等により電気的に接続される。
【００２２】
マグネット１１ａ，１１ｂ，１１ｃ，１１ｄは、フォーカシング方向およびトラッキング方向に平行なレンズホルダ２の両側面に対向して、フォーカシングコイルおよびトラッキングコイルと離隔して磁性体であるヨーク９の内側に取り付けられる。マグネット11ａ，１１ｂ，１１ｃ，１１ｄは、それぞれ２極に着磁されており、レンズホルダ２の両側面に対向してそれぞれ２個並置される。
【００２３】
なお、図１では、レンズホルダ２の両側方にそれぞれ２個のマグネット１１ａ，１１ｂ、および１１ｃ，１１ｄが並置されることをわかりやすく示すために、２個のマグネットの間に隙間を設けているが、必ずしも隙間は必要ではなく、２個のマグネットは接していてもよい。
【００２４】
ヨーク９は、４個のマグネットそれぞれの中央の下側において、ヨーク９の外側からマグネットが目視できる開放部２１ａ，２１ｂ，２１ｃ，２１ｄを有する。開放部２１ａ，２１ｂ，２１ｃ，２１ｄは、マグネット下側のヨーク９の下面から、マグネットが取り付けられるヨーク９の側面にわたって略Ｌ字状の形状をしている。
【００２５】
カバー１０は可動部の上側に配置され、折り曲げた両端部がヨーク９に取り付けられる。カバー１０は、４個のマグネットそれぞれの中央の上側において、カバー１０の外側からマグネットが目視できる開放部３１ａ，３１ｂ，３１ｃ，３１ｄを有する。
【００２６】
図２に組立誤差が無い場合の、レンズホルダ２の一方の側におけるフォーカシングコイル３とトラッキングコイル４とマグネット１１ａ，１１ｂの配置を示す。なお、ここでは説明を容易にするために、フォーカシングコイル３とトラッキングコイル４とマグネット１１ａ，１１ｂだけを示している。また、レンズホルダ２の他方の側の構成も同様である。
【００２７】
マグネット１１ａ，１１ｂはそれぞれ２極を有しており、異なる磁極が隣合うように配置される。一対のフォーカシングコイル３は、フォーカシング方向の駆動力を発生するコイル線部３ａ，３ｂおよび３ｃ，３ｄを有し、マグネット１１ａおよび１１ｂの磁極境界線にまたがって配置される。また、一対のフォーカシングコイル３は、マグネット１１ａと１１ｂの境界に対して線対称に配置される。トラッキングコイル４はマグネット１１ａと１１ｂの境界にまたがって配置される。
【００２８】
このような構成において、例えば、マグネット１１ａと１１ｂの表面の磁極を、図２に示す極性とし、フォーカシングコイル３およびトラッキングコイル４に矢印の向きに電流を流すと、フォーカシング方向の駆動力およびトラッキング方向の駆動力が得られる。
【００２９】
組立誤差が無い場合は、一対のフォーカシングコイル３は、マグネット１１ａと１１ｂの境界に対して線対称に配置されるので、左右のコイル線部３ａ，３ｂと３ｃ，３ｄで発生する駆動力は等しく、フォーカシングコイル３の中心に対してモーメントが発生することは無い。
【００３０】
次に、組立誤差が生じて、可動部がマグネットに対して傾いて組立られた場合について説明する。
【００３１】
図３に可動部がｘ軸回りに回転した場合のフォーカシングコイル３とマグネット１１ａ，１１ｂの配置を示す。図３（ａ）は、フォーカシングコイル３に電流を流していない中立状態において、フォーカシングコイル３のコイル線部３ａ，３ｂ側がｚ方向の下側に、コイル線部３ｃ，３ｄ側がｚ方向の上側にずれた例を示す。中立状態からフォーカシング方向上側に動作した場合を図３（ｂ）に、フォーカシング方向下側に動作した場合を図３（ｃ）に示す。
【００３２】
図３（ｂ）では、もともとｚ方向上側にずれていたコイル線部３ｃ，３ｄが、さらにｚ方向上側に変位するので、コイル線部３ｃ，３ｄはコイル線部３ａ，３ｂよりもそれぞれ対向するマグネットの磁極の中心から離れることになる。したがって、コイル線部３ｃ，３ｄで発生する駆動力Ｆｃ，Ｆｄはコイル線部３ａ，３ｂで発生する駆動力Ｆａ，Ｆｂよりも小さくなる。このため、フォーカシングコイル３の中心に対してｘ軸回りのモーメントが発生する。
【００３３】
図３（ｃ）では、もともとｚ方向下側にずれていたコイル線部３ａ，３ｂが、さらにｚ方向下側に変位するので、コイル線部３ａ，３ｂはコイル線部３ｃ，３ｄよりもそれぞれ対向するマグネットの磁極の中心から離れることになる。したがって、コイル線部３ａ，３ｂで発生する駆動力Ｆａ，Ｆｂはコイル線部３ｃ，３ｄで発生する駆動力Ｆｃ，Ｆｄよりも小さくなる。このため、フォーカシングコイル３の中心に対してｘ軸回りのモーメントが発生する。
【００３４】
本実施例では、マグネット１１ａ，１１ｂ，１１ｃ，１１ｄの下側のヨーク９に開放部２１ａ，２１ｂ，２１ｃ，２１ｄを設け、マグネット１１ａ，１１ｂ，１１ｃ，１１ｄの上側のカバー１０に開放部３１ａ，３１ｂ，３１ｃ，３１ｄを設けているので、この開放部を通して各マグネットを挟む冶具を挿入し、可動部の傾きに応じて各マグネットを上下に位置調整することが可能である。
【００３５】
図４にマグネットの上下位置調整方法を示す。図４はマグネット１１ａ，１１ｂ側の開放部２１ａ，２１ｂ，３１ａ，３１ｂの位置でのｙｚ面に平行な断面図である。なお、マグネット１１ｃ，１１ｄおよび開放部２１ｃ，２１ｄ，３１ｃ，３１ｄ側も同様である。
【００３６】
マグネット１１ａ，１１ｂの上下から非磁性体の棒状の冶具４１ａ，４１ｂを、カバー１０の開放部３１ａ，３１ｂおよびヨーク９の開放部２１ａ，２１ｂに挿入し、マグネット１１ａ，１１ｂを上下から挟んで支持する。この冶具４１ａ，４１ｂをそれぞれ上下に動かすことで、マグネット１１ａ，１１ｂの位置を上下に調整することができる。
【００３７】
例えば、図５に示すように、可動部が傾いてフォーカシングコイル３のコイル線部３ａ，３ｂ側がｚ方向の下側に、コイル線部３ｃ，３ｄ側がｚ方向の上側にずれて組立られていた場合には、コイル線部３ａ，３ｂに対向するマグネット１１ａをｚ方向下側に移動させ、コイル線部３ｃ，３ｄに対向するマグネット１１ｂをｚ方向上側に移動させる。これにより左右のコイル線部に対して各マグネットの磁極の位置を対称に近づけることができる。したがって、左右のコイル線部３ａ，３ｂと３ｃ，３ｄで発生する駆動力は同程度になり、フォーカシングコイル３の中心に対するモーメントを低減することができる。
【００３８】
ここで、冶具４１ａ，４１ｂを非磁性体とすることで、冶具４１ａ，４１ｂをマグネット１１ａ，１１ｂに近づけても磁力を受けることがないので作業を容易に行うことができる。
【００３９】
また、ヨーク９の開放部２１ａ，２１ｂおよびカバー１０の開放部３１ａ，３１ｂの位置を、それぞれ対向するマグネット１１ａ，１１ｂの中央とすることで、マグネット11ａ，１１ｂの中央を冶具４１ａ，４１ｂで支持することができるので、マグネットの位置調整を安定して行うことができる。
【００４０】
図６はマグネット１１ｂ，１１ｄ側の開放部２１ｂ，２１ｄ，３１ｂ，３１ｄの位置でのｘｚ面に平行な断面図である。説明を簡単にするため、ヨーク９とカバー１０とマグネット１１ｂ，１１ｄだけを示している。なお、マグネット１１ａ，１１ｃおよび開放部
２１ａ，２１ｃ，３１ａ，３１ｃ側も同様である。
【００４１】
ヨーク９に設けた開放部２１ｂ，２１ｄはマグネット１１ｂ，１１ｄの下側のヨーク９の下面から、マグネットが取り付けられるヨーク９の側面にわたって略Ｌ字状となっている。そして、開放部２１ｂ，２１ｄの上端は、マグネット１１ｂ，１１ｄの下端よりも上側にある。
【００４２】
上記マグネットの位置調整を行った後、ヨーク９に設けた略Ｌ字状の開放部２１ｂ，
２１ｄから、マグネット１１ｂ，１１ｄとヨーク９の境界部に接着剤６１を塗布し、マグネット１１ｂ，１１ｄをヨーク９に固定する。
【００４３】
ヨーク９に設けた開放部２１ｂ，２１ｄを、ヨーク９の下面からマグネットの下端が露出する位置まで略Ｌ字状に設けることで、マグネット１１ｂ，１１ｄとヨーク９の境界部に接着剤６１を塗布することが容易となり、マグネット１１ｂ，１１ｄとヨーク９の固定を確実に行うことができる。
【００４４】
上記のマグネットの位置調整は、フォーカシングコイル３に電流を流して可動部を動作させたときの対物レンズの傾きをオートコリメータ等で観測しながら、その傾きが小さくなるように各マグネットを調整することで行われる。または、基準に対する可動部の相対位置を測定し、そのずれ分を補正するように各マグネットの調整量を設定する方法でもかまわない。
【００４５】
なお、本実施例ではヨーク９に設けた開放部２１ａ，２１ｂ，２１ｃ，２１ｄおよびカバー１０に設けた開放部３１ａ，３１ｂ，３１ｃ，３１ｄは、それぞれひとつずつ独立した穴であった。しかし、この開放部はマグネットを挟む冶具が通ればよいので、必ずしもひとつずつ独立した穴である必要は無く、図７に示すように、ヨーク１２とカバー１３に設ける開放部は、それぞれひとつの開放部２２，３２であってもよい。
【００４６】
また、マグネット１１ａ，１１ｂ，１１ｃ，１１ｄが取り付けられるヨーク９は磁性体であることが必要である。しかし、カバー１０は磁性体でも非磁性体でも構成することが可能である。カバー１０が非磁性体の場合は、カバー１０の有無によらず磁界は一定であるので、カバー１０が無い状態で各マグネットの位置調整を行い、その後カバー１０を取り付けることも可能である。この場合は、カバー１０に冶具を挿入する開放部３１ａ，
３１ｂ，３１ｃ，３１ｄを設けなくてもよく、ヨーク９に開放部２１ａ，２１ｂ，２１ｃ，２１ｄを設けるだけでかまわない。
【００４７】
以上、本発明の光ピックアップによれば、組立誤差等によって可動部がマグネットに対して傾いて取り付けられた場合でも、マグネットの位置を対物レンズの光軸方向に調整可能とすることで、フォーカシングコイルで発生するモーメントを低減し、対物レンズの傾きの小さい光ピックアップとすることができ、光ディスクへの情報の記録再生を正確に行うことができる。
【産業上の利用可能性】
【００４８】
本発明は、光ディスク装置の光ピックアップに利用できる。
【図面の簡単な説明】
【００４９】
【図１】本発明に係わる光ピックアップの対物レンズ駆動手段の実施例を示す図である。
【図２】図１に示した対物レンズ駆動手段の組立誤差が無い場合のコイルとマグネットの配置を説明する図である。
【図３】図１に示した対物レンズ駆動手段の可動部が傾いて組立られた場合のフォーカシングコイルで発生する駆動力を説明する図である。
【図４】図１に示した対物レンズ駆動手段のマグネットの位置調整を説明する図である。
【図５】図１に示した対物レンズ駆動手段のマグネット位置調整後のフォーカシングコイルとマグネットの配置を説明する図である。
【図６】図１に示した対物レンズ駆動手段のヨークとカバーとマグネットを示す断面図である。
【図７】本発明に係わる対物レンズ駆動手段の他の構成におけるヨークとカバーを示す図である。
【図８】本発明に係わる光ディスク装置の実施例のブロック図である。
【符号の説明】
【００５０】
１…対物レンズ、２…レンズホルダ、３…フォーカシングコイル、４…トラッキングコイル、６…支持部材、７…固定部、９…ヨーク、１０…カバー、１１…マグネット、２１…ヨークに設けた開放部、３１…カバーに設けた開放部、５０…対物レンズ駆動手段、
６１…接着剤、１００…光ディスク装置、１０１…光ディスク、１１０…光ピックアップ、１１１…レーザ発光素子、１１２…光検出器。
【図１】
0004783671.tif 000002
【図２】
0004783671.tif 000003
【図３】
0004783671.tif 000004
【図４】
0004783671.tif 000005
【図５】
0004783671.tif 000006
【図６】
0004783671.tif 000007
【図７】
0004783671.tif 000008
【図８】
0004783671.tif 000009